(57)【要約】【課題】実際に設定されているパラメータを簡単に確認できるようにする。【解決手段】ＤＣＡスイッチ２２ｃ，２３ｃ，２４ｃ，３１ｃがオンされて、入力チャンネルＣＨ２，ＣＨ３，ＣＨ４，ＣＨ５がＤＣＡチャンネルＣＨ１の割当チャンネルとされている。ＤＣＡチャンネルＣＨ１の選択スイッチ７２をオンして表示スイッチ７１をオンすると、割当チャンネルにおける通常チャンネル用フェーダ２２ｂ，２３ｂ，２４ｂ，３１ｂが、ＤＣＡチャンネルＣＨ１のＤＣＡ用フェーダ６１ｂの調整量を反映するように動き、割当チャンネルにそれぞれ設定されている設定レベルを表示するようになる。【選択図】  図２
2004253876.tif 000002
【特許請求の範囲】
【請求項１】
複数のチャンネルのパラメータを各チャンネル毎に調整可能であって、前記各チャンネルのパラメータの調整状態が確認可能に提示されている第１のパラメータ調整手段と、
前記複数のチャンネルの内の設定された１つ以上の割当チャンネルのパラメータをまとめて調整可能な第２のパラメータ調整手段と、
操作された際に、前記第１のパラメータ調整手段および前記第２のパラメータ調整手段により設定される前記割当チャンネルの設定パラメータを、当該割当チャンネルにかかる前記第１のパラメータ調整手段に確認可能に提示する指示手段と、
を備えていることを特徴とするパラメータ表示装置。
【請求項２】
操作された際に前記指示手段は、前記割当チャンネルの内の選択された割当チャンネルについてだけ、前記第１のパラメータ調整手段に前記設定パラメータを確認可能に提示するようにしたことを特徴とする請求項１記載のパラメータ表示装置。
【請求項３】
前記指示手段であるスイッチ手段が前記各チャンネルに設けられて、前記スイッチ手段が操作されたチャンネルについてのみ当該チャンネルに設定されているパラメータが、前記第１のパラメータ調整手段に確認可能に提示されるようにしたことを特徴とする請求項１記載のパラメータ表示装置。
【請求項４】
前記指示手段は、前記割当チャンネルにかかる前記第１のパラメータ調整手段に前記設定パラメータを確認可能に提示する際に、前記割当チャンネルに設定されているチャンネルにおける前記第１のパラメータ調整手段と前記第２のパラメータ調整手段とを調整できないよう固定するようにしたことを特徴とする請求項１記載のパラメータ表示装置。
【請求項５】
操作された際に前記指示手段は、前記割当チャンネルにかかる前記第１のパラメータ調整手段に前記設定パラメータを確認可能に提示することに替えて、前記各チャンネルにおいて前記第１パラメータ調整手段の近傍に設けられているチャンネル毎の表示手段に、当該割当チャンネルに設定されている前記設定パラメータを表示するようにしたことを特徴とする請求項１記載のパラメータ表示装置。
【請求項６】
操作された際に前記指示手段は、前記割当チャンネルにかかる前記第１のパラメータ調整手段に前記設定パラメータを確認可能に提示すると共に、前記割当チャンネルに設定されているチャンネルにおいて前記第１パラメータ調整手段の近傍に設けられているチャンネル毎の表示手段に、当該割当チャンネルに設定されている前記設定パラメータを表示するようにしたことを特徴とする請求項１記載のパラメータ表示装置。
【請求項７】
操作された際に前記指示手段は、前記割当チャンネルにかかる前記第１のパラメータ調整手段に前記設定パラメータを確認可能に提示することに替えて、前記割当チャンネルに設定されているチャンネルにおいて前記第１パラメータ調整手段の近傍に設けられているチャンネル毎の表示手段に、当該チャンネルの前記第１のパラメータ調整手段のみにより調整されているパラメータと、前記第１のパラメータ調整手段および前記第２のパラメータ調整手段により設定されている前記設定パラメータとを表示するようにしたことを特徴とする請求項１記載のパラメータ表示装置。
【発明の詳細な説明】
【０００１】
【発明が属する技術分野】
この発明は、チャンネル毎にパラメータを調整可能な調整手段と、複数チャンネルのパラメータをまとめて調整可能な調整手段とを有する装置におけるパラメータ表示装置に関し、ディジタルミキサやアナログミキサにおけるパラメータ表示装置に適用して好適なものである。
【０００２】
【従来の技術】
従来、多数のマイクロホンあるいは電気・電子楽器などから出力されるオーディオ信号のレベルや周波数特性を調整し、ミキシングしていくつかのミキシング・グループにまとめてパワーアンプや各種録音機器に送り出すミキサが知られている。ミキサを操作するオペレータは、楽器音や歌唱の各オーディオ信号の音量や音色を、ミキシング・コンソールにおける各種パネル操作子を操作することにより、演奏を最もふさわしく表現していると思われる状態に調整している。ミキサは、入力信号系列として複数の入力チャンネルを備え、入力信号系列をプログラムしてミキシングし、出力信号系列である複数の出力チャンネルに出力している。入力信号系列における各入力チャンネルの信号は、一般にヘッドアンプにより増幅されてミキシング処理部に出力される。そして、ミキシング処理部において周波数特性およびレベルが調整されて、プログラムされた組み合わせにおいてミキシングされる。次いで、出力フェーダにより任意の出力レベルになるように設定されて出力チャンネルの１つに出力される。
【０００３】
【発明が解決しようとする課題】
このようなミキサにおいて、入力チャンネルと出力チャンネルからなる通常チャンネルにおいては、各チャンネル毎にレベルを調整する通常チャンネル用フェーダが設けられている。入力チャンネルにおける通常チャンネル用フェーダはミキシングするバスへの各入力チャンネルの送り出しレベルを調整しており、出力チャンネルにおける通常チャンネル用フェーダはミキシング出力の出力レベルを調整している。また、ミキサにおいてはＤＣＡ（Ｄｉｇｉｔａｌｌｙ  Ｃｎｔｏｒｏｌｌｅｄ  Ａｍｐｌｉｆｉｅｒ）チャンネルを有するものがある。このＤＣＡチャンネルには、１つのＤＣＡチャンネルに複数の通常チャンネルを割り当てることができ、ＤＣＡ用フェーダで設定されたレベルを、ＤＣＡチャンネルに割り当てられている全ての通常チャンネル（割当チャンネル）のレベルに加算するようにしている。すなわち、割当チャンネルのレベルを一括変更することができるようにされている。
【０００４】
ところで、通常チャンネル用フェーダの位置はチャンネル別に通常チャンネル用フェーダにより調整されているレベルを表わしている。また、ＤＣＡ用フェーダの位置は割当チャンネルに共通して加算されるレベル（加算量）を表わしている。すると、チャンネル毎の実際の設定レベルは（通常チャンネルレベル＋ＤＣＡレベル）となり、通常チャンネル用フェーダをみるだけでは簡単に確認することができないという問題点があった。
ここで、通常チャンネル用フェーダの位置をＤＣＡレベルを反映させた位置にすればよいものと考えられるが、そうすると次のような問題点が生じることになる。すなわち、一般的なフェーダにおいては初期（ｎｏｍｉｎａｌ）位置近傍はメカ的にレベルの設定解像度が、初期位置から遠い位置よりも細かくなっている。すると、通常チャンネル用フェーダの位置をＤＣＡレベルを反映させた位置とすると、通常チャンネル用フェーダの位置が初期位置から遠い位置に置かれる場合が多くなり、レベルの解像度が粗い位置でレベル制御しなければならない場合が頻繁に生じるようになる。したがって、レベルを細かく精密に調整することが困難になると云う問題点が生じるようになる。
【０００５】
そこで、本発明はパラメータを細かく調整できるようにしても、実際に設定されている設定パラメータを簡単に確認することのできるパラメータ表示装置を提供することを目的としている。
【０００６】
【課題を解決するための手段】
上記目的を達成することのできる本発明のパラメータ表示装置は、第１のパラメータ調整手段および第２のパラメータ調整手段により設定される割当チャンネルの設定パラメータを、当該割当チャンネルにかかる第１のパラメータ調整手段において提示する指示手段を設けるようにしたので、指示手段を操作することにより実際に設定されている設定パラメータを簡単に確認することができるようになる。この場合、指示手段を操作しない限り第２のパラメータ設定手段の設定状態が反映されて提示されないので、第１のパラメータ設定手段においてはパラメータを細かく設定することができるようになる。
また、割当チャンネルの内の選択された割当チャンネルについてだけ第２のパラメータ設定手段の設定状態を反映させて提示するようにしてもよく、指示手段を操作した際に第１のパラメータ調整手段および第２のパラメータ調整手段の動きを固定してパラメータを調整できないようにしてもよい。さらに、指示手段を操作した際に第１パラメータ調整手段の近傍に設けられているチャンネル毎の表示手段に設定パラメータを表示するようにしてもよく、各チャンネルに第２のパラメータ設定手段の設定状態を反映した設定パラメータを提示するためのスイッチ手段を設けるようにしてもよい。
【０００７】
【発明の実施の形態】
本発明の実施の形態にかかるパラメータ表示装置を備えるミキシング装置の構成を示すブロック図を図１に示す。
ミキシング装置１は、全体の動作を制御すると共に、ミキシング処理を行う信号処理回路１８に備えられているＤＳＰ（Ｄｉｇｉｔａｌ  Ｓｉｇｎａｌ  Ｐｒｏｃｅｓｓｏｒ）の動作を制御する制御信号を生成しているＣＰＵ（Ｃｅｎｔｒａｌ  Ｐｒｏｃｅｓｓｉｎｇ  Ｕｎｉｔ）１０と、ＣＰＵ１０のワークエリアや各種データ等が記憶されるＲＡＭ（Ｒａｎｄｏｍ  Ａｃｃｅｓｓ  Ｍｅｍｏｒｙ）１１と、ＣＰＵ１０が実行するミキシング制御プログラム等の動作ソフトウェアが格納されている書き換え可能な不揮発性のフラッシュメモリ等のＲＯＭ（Ｒｅａｄ  Ｏｎｌｙ  Ｍｅｍｏｒｙ）１２とを備えている。このように、フラッシュメモリ等の書き換え可能なＲＯＭに動作ソフトウェアを格納することにより、ＲＯＭ１２におけるフラッシュメモリ内の動作ソフトウェアを書き換えることで、バージョンアップすることができる。信号処理回路１８には入出力インタフェース（入出力Ｉ／Ｆ）１９を介して外部入出力機器１００から複数チャンネルの信号が入力されており、ＣＰＵ１０の制御の元でミキシング処理が信号処理回路１８において行われ、入出力Ｉ／Ｆ１９を介して外部入出力機器１００へミキシング信号を出力している。なお、信号処理回路１８は多数のＤＳＰを用いて構成されている。
【０００８】
ミキシング装置１は、ミキシング操作のための操作子１５と表示部１７を備えており、操作子１５が操作されたことは検出回路１４において検出され、表示部１７は、表示回路１６から出力される映像信号を表示している。操作子１５として種々の操作子が設けられており、種々の操作子１５および表示部１７は図２に構成を示すパネル２に設けられている。パネル２に設けられている操作子１５は、図２に示すように第１入力チャンネル部２０および第２入力チャンネル部３０、出力チャンネル部５０、ＤＣＡチャンネル部およびＤＣＡ表示制御部７０において種々の操作子１５が設けられている。このようなミキシング装置１において、入出力Ｉ／Ｆ１９を介して入力された各入力チャンネルの信号は、信号処理回路１８においてヘッドアンプにより増幅されてミキシング処理される。そして、ミキシング処理される際に周波数特性およびレベルが調整されて、プログラムされた組み合わせにおいてミキシングされる。次いで、ミキシング出力のレベルが任意の出力レベルになるように設定されて入出力Ｉ／Ｆ１９を介して出力チャンネルの１つとして出力される。
【０００９】
次に、パネル２の構成について説明すると、第１入力チャンネル部２０には、例えば入力チャンネルＣＨ１ないし入力チャンネルＣＨ４の４チャンネル分の操作子と表示器が設けられている。入力チャンネルＣＨ１については、”ＣＨ１”と表示されている表示器２１ａと、操作子１５として入力チャンネルＣＨ１のミキシング用のバスへの送り出しレベルを調整する通常チャンネル用フェーダ２１ｂと、ＤＣＡチャンネルに割り当てるためのパイロットランプを備えるＤＣＡスイッチ２１ｃが設けられている。同様に、入力チャンネルＣＨ２には、表示器２２ａと通常チャンネル用フェーダ２２ｂとＤＣＡスイッチ２２ｃが設けられており、入力チャンネルＣＨ３には、表示器２３ａと通常チャンネル用フェーダ２３ｂとＤＣＡスイッチ２３ｃが設けられており、入力チャンネルＣＨ４には、表示器２４ａと通常チャンネル用フェーダ２４ｂとＤＣＡスイッチ２４ｃが設けられている。これらの通常チャンネル用フェーダ２１ｂ、２２ｂ、２３ｂ、２４ｂは上下方向に移動させてレベルを調整するようにされており、縦方向にレベルの目盛りが付されている。この目盛りは、０ｄＢ近辺が細かくされておりその範囲を超えると目盛りは粗くされている。
【００１０】
また、第２入力チャンネル部３０には、例えば入力チャンネルＣＨ５ないし入力チャンネルＣＨ８の４チャンネル分の操作子と表示器が設けられている。入力チャンネルＣＨ５については、”ＣＨ５”と表示されている表示器３１ａと、操作子１５として入力チャンネルＣＨ５のミキシング用のバスへの送り出しレベルを調整する通常チャンネル用フェーダ３１ｂと、ＤＣＡチャンネルに割り当てるためのパイロットランプを備えるＤＣＡスイッチ３１ｃが設けられている。同様に、入力チャンネルＣＨ６には、表示器３２ａと通常チャンネル用フェーダ３２ｂとＤＣＡスイッチ３２ｃが設けられており、入力チャンネルＣＨ７には、表示器３３ａと通常チャンネル用フェーダ３３ｂとＤＣＡスイッチ３３ｃが設けられており、入力チャンネルＣＨ８には、表示器３４ａと通常チャンネル用フェーダ３４ｂとＤＣＡスイッチ３４ｃが設けられている。これらの通常チャンネル用フェーダ３１ｂ、３２ｂ、３３ｂ、３４ｂは上下方向に移動させてレベルを調整するようにされており、縦方向にレベルの目盛りが付されている。この目盛りは、０ｄＢ近辺が細かくされておりその範囲を超えると目盛りは粗くされている。
【００１１】
さらに、表示部４０にはミキシング処理に関連する種々の表示を行う大きな液晶表示器（ＬＣＤ）４１が設けられている。
さらにまた、出力チャンネル部５０には、例えば出力チャンネルＣＨ１ないし出力チャンネルＣＨ４の４チャンネル分の操作子と表示器が設けられている。出力チャンネルＣＨ１については、”ＣＨ１”と表示されている表示器５１ａと、操作子１５として出力チャンネルＣＨ１のミキシング出力の出力レベルを調整する通常チャンネル用フェーダ５１ｂと、ＤＣＡチャンネルに割り当てるためのパイロットランプを備えるＤＣＡスイッチ５１ｃが設けられている。同様に、出力チャンネルＣＨ２には、表示器５２ａと通常チャンネル用フェーダ５２ｂとＤＣＡスイッチ５２ｃが設けられており、入力チャンネルＣＨ３には、表示器５３ａと通常チャンネル用フェーダ５３ｂとＤＣＡスイッチ５３ｃが設けられており、入力チャンネルＣＨ４には、表示器５４ａと通常チャンネル用フェーダ５４ｂとＤＣＡスイッチ５４ｃが設けられている。これらの通常チャンネル用フェーダ５１ｂ、５２ｂ、５３ｂ、５４ｂは回転させてレベルを調整するようにされており、回転方向にレベルの目盛りが付されている。この目盛りは、０ｄＢ近辺が細かくされておりその範囲を超えると目盛りは粗くされている。
【００１２】
さらにまた、ＤＣＡチャンネル部６０には、例えばＤＣＡチャンネルＣＨ１およびＤＣＡチャンネルＣＨ２の２チャンネル分の操作子が設けられている。ＤＣＡチャンネルＣＨ１については、操作子１５として”ＣＨ１”と表示されている選択スイッチ６１ａと、ＤＣＡチャンネルＣＨ１のレベルを調整するＤＣＡ用フェーダ６１ｂとが設けられている。同様に、ＤＣＡチャンネルＣＨ２には、選択スイッチ６２ａとＤＣＡ用フェーダ６２ｂとが設けられている。選択スイッチ６１ａ、６２ａは、それらのいずれかをオンして次いでＤＣＡスイッチをオンした際に、オンされたＤＣＡスイッチに対応する通常チャンネルが、選択されているＤＣＡチャンネルに割り当てられるようになる。これらのＤＣＡ用フェーダ６１ｂ、６２ｂは上下方向に移動させてレベルを調整するようにされており、縦方向にレベルの目盛りが付されている。この目盛りは、０ｄＢ近辺が細かくされておりその範囲を超えると目盛りは粗くされている。
【００１３】
さらにまた、ＤＣＡ表示制御部７０には、ＤＣＡチャンネルＣＨ１，ＣＨ２のいずれかを選択するための選択スイッチ７２，７３と、ＤＣＡチャンネルＣＨ１，ＣＨ２に割り当てられている通常チャンネルである割当チャンネルに設定されているレベルを確認するための表示（ＤＩＳＰＬＡＹ）スイッチ７１とが設けられている。なお、通常チャンネルとは第１入力チャンネル部２０、第２入力チャンネル部３０および出力チャンネル部５０に設定されている各チャンネルを意味しており、割当チャンネルとは通常チャンネルの内のＤＣＡスイッチがオンされているチャンネルを意味している。図２に示すパネル構成では、ＤＣＡスイッチ２２ｃ、２３ｃ、２４ｃ、３１ｃがオンされてそのパイロットランプが点灯していることから、入力チャンネルＣＨ２，ＣＨ３，ＣＨ４，ＣＨ５が割当チャンネルとされている。これらの割当チャンネルは、ＤＣＡスイッチをオンする前に選択スイッチ６１ａ、６２ａのいずれかをオンしておくことにより、オンされたＤＣＡチャンネルＣＨ１あるいはＤＣＡチャンネルＣＨ２に割り当てられる。ただし、１つのＤＣＡチャンネルにおいて入力チャンネルと出力チャンネルとを混在して割り当てることはできない。
【００１４】
図１に戻り、ミキシング装置１には通信インタフェース（通信Ｉ／Ｆ）１３が設けられており、ミキシング装置１をＬＡＮ（ローカルエリアネットワーク）やインターネット、電話回線等の通信ネットワークを介して、外部制御機器２００と接続することができるようにされている。これにより、通信ネットワークで接続されている外部制御機器２００から、ミキシング装置１のミキシング操作を行うことができるようになる。また、外部制御機器２００から制御プログラムや各種データをダウンロードすることができるようになる。ミキシング装置１の各部は通信バス１０ａに接続されてパソコンと同様の構成とされている。
【００１５】
次に、本発明にかかるパラメータ表示装置を備えるミキシング装置１において、パラメータ表示について以下に説明する。
図２に示すように、パネル２において選択スイッチ６１ａがオンされた状態においてＤＣＡスイッチ２２ｃ，２３ｃ，２４ｃ，３１ｃがオンされて、入力チャンネルＣＨ２，ＣＨ３，ＣＨ４，ＣＨ５がＤＣＡチャンネルＣＨ１の割当チャンネルとされている。この場合、割当チャンネルにおいては、それぞれのチャンネルに設けられている通常チャンネル用フェーダ２２ｂ、２３ｂ、２４ｂ、３１ｂを動かすことにより、ミキシング用のバスへの送り出しレベルを調整することができる。さらに、ＤＣＡチャンネルＣＨ１におけるＤＣＡ用フェーダ６１ｂを動かすと、それに応じて入力チャンネルＣＨ２，ＣＨ３，ＣＨ４，ＣＨ５からなるＤＣＡチャンネルＣＨ１における割当チャンネルの全てのチャンネルにおいてミキシング用のバスへの送り出しレベルが調整されるようになる。
【００１６】
このように、割当チャンネルにおいては自己のチャンネルにおける通常チャンネル用フェーダの調整量と、割り当てられているＤＣＡチャンネルにおけるＤＣＡ用フェーダの調整量との和によりレベルが設定されるようになる。しかし、通常チャンネル用フェーダにはＤＣＡフェーダの調整量は反映されないことから、通常チャンネル用フェーダの摘みの位置を見ても、そのチャンネルに設定されているレベルを確認することができない。そこで、ＤＣＡ表示制御部７０におけるＤＣＡチャンネルＣＨ１を選択する選択スイッチ７２をオンして、表示スイッチ７１をオンする。すると、入力チャンネルＣＨ２，ＣＨ３，ＣＨ４，ＣＨ５の割当チャンネルにおける通常チャンネル用フェーダ２２ｂ、２３ｂ、２４ｂ、３１ｂの摘みの位置が、ＤＣＡチャンネルＣＨ１のＤＣＡ用フェーダ６１ｂの調整量分だけ動かされるようになる。これは、ＲＡＭ１１に保持されているＤＣＡ用フェーダ６１ｂの調整量を、ＲＡＭ１１に保持されている各割当チャンネルにおける通常チャンネル用フェーダの調整量に加算することにより行う。これにより、通常チャンネル用フェーダ２２ｂ、２３ｂ、２４ｂ、３１ｂの摘みの位置により、各割当チャンネルに設定されている設定レベルを確認することができるようになる。なお、通常チャンネル用フェーダ２２ｂ、２３ｂ、２４ｂ、３１ｂが動かされた後においては、レベル調整できないように通常チャンネル用フェーダ２２ｂ、２３ｂ、２４ｂ、３１ｂおよびＤＣＡ用フェーダ６１ｂの位置を動かせないように固定する。
【００１７】
ところで、割当チャンネルとなっていない通常チャンネルについては、当該チャンネルにおける通常チャンネル用フェーダにより、設定されているレベルを確認することができる。また、表示スイッチ７１がオンされても割当チャンネルとなっていない通常チャンネルについては、当該チャンネルにおける通常チャンネル用フェーダを自由に動かしてレベルを調整することができる。
【００１８】
ここで、パネル２には示されていないがＤＣＡチャンネル部６０における選択スイッチ６２ａをオンして、次いで出力チャンネル部５０のＤＣＡスイッチ５１ｃ，５４ｃをオンしたとする。すると、ＤＣＡチャンネルＣＨ２に出力チャンネルＣＨ１，ＣＨ４が割当チャンネルとして割り当てられ、ＤＣＡチャンネルＣＨ２にかかるＤＣＡ用フェーダ６２ｂを動かすことにより、出力チャンネルＣＨ１，ＣＨ４における出力レベルをまとめて調整することができるようになる。なお、通常チャンネル用フェーダ５１ｂ、５４ｂを回転すると、出力チャンネルＣＨ１あるいは出力チャンネルＣＨ４における出力レベルをそれぞれ調整することができる。
【００１９】
そして、ＤＣＡ表示制御部７０における選択スイッチ７３をオンして表示スイッチ７１をオンすると、出力チャンネルＣＨ１，ＣＨ４の割当チャンネルにおける通常チャンネル用フェーダ５１ｂ，５４ｂの摘みの位置が、ＤＣＡチャンネルＣＨ２のＤＣＡ用フェーダ６２ｂの調整量分だけ回転するようになる。これにより、通常チャンネル用フェーダ５１ｂ，５４ｂの摘みの回転位置により、各割当チャンネルである出力チャンネルＣＨ１，ＣＨ４に設定されている設定レベルを確認することができるようになる。なお、通常チャンネル用フェーダ５１ｂ，５４ｂが動かされた後においては、通常チャンネル用フェーダ５１ｂ，５４ｂおよびＤＣＡ用フェーダ６２ｂの位置を動かせないように固定する。
【００２０】
次に、本発明にかかるパラメータ表示装置におけるＤＣＡ用フェーダの操作処理を示すフローチャートを図３に示す。
所定周期の割込処理によりＤＣＡ用フェーダの操作処理がスタートされ、ステップＳ１０にてＤＣＡ用フェーダが操作されたか否かが検出される。ここで、ＤＣＡ用フェーダのいずれかが操作されたと検出回路１４において検出されると、ステップＳ１１に進んで新たに設定されたＤＣＡレベルがメモリ（ＲＡＭ１１）に保持される。次いで、ステップＳ１２にて新たに設定されたＤＣＡレベルを信号処理回路１８に送り、信号処理回路１８において新たに設定されたＤＣＡレベルを反映させる。この反映は、割当チャンネルにおける各通常チャンネルの通常チャンネル用フェーダの調整量に新たに設定されたＤＣＡレベルを加算することにより行う。このとき、ＤＣＡ用フェーダの摘みはＤＣＡレベルの設定値を表す位置にある。ステップＳ１２の処理が終了した場合、および、ステップＳ１０にてＤＣＡフェーダが操作されたことが検出されなかった場合は、後述するメイン処理にリターンされる。
【００２１】
次に、本発明にかかるパラメータ表示装置における通常チャンネル用フェーダの操作処理を示すフローチャートを図４に示す。
所定周期の割込処理により通常チャンネル用フェーダの操作処理がスタートされ、ステップＳ２０にて通常チャンネル用フェーダが操作されたか否かが検出される。ここで、通常チャンネル用フェーダのいずれかが操作されたと検出回路１４において検出されると、ステップＳ２１に進んで新たに設定された通常チャンネルレベルがメモリ（ＲＡＭ１１）に保持される。次いで、ステップＳ２２にて新たに設定された通常チャンネルレベルを信号処理回路１８に送り、信号処理回路１８において新たに設定された通常チャンネルレベルを反映させる。この反映は、通常チャンネル用フェーダの調整量を新たに設定された通常チャンネルレベルに置き換えることにより行う。このとき、通常チャンネル用フェーダの摘みは通常チャンネルレベルの設定値を表す位置にある。ステップＳ２２の処理が終了した場合、および、ステップＳ２０にて通常チャンネル用フェーダが操作されたことが検出されなかった場合は、後述するメイン処理にリターンされる。
【００２２】
次に、本発明にかかるパラメータ表示装置におけるメイン処理を示すフローチャートを図５に示す。
パラメータ表示装置を備えるミキシング装置１の電源が投入され初期設定処理が終了すると、メイン処理がスタートする。この場合の処理対象とされるＤＣＡチャンネルは、オンされている選択スイッチ７２，７３のいずれかに対応するＤＣＡチャンネルとされる。そして、ステップＳ３０にて表示（ＤＩＳＰＬＡＹ）スイッチ７１がオンされるよう操作されたか否かがが検出される。ここで、表示スイッチ７１がオンされたことが検出回路１４において検出されると、ステップＳ３１に進み処理対象とされるＤＣＡチャンネルにおけるＤＣＡレベルがメモリ（ＲＡＭ１１）から読み出されて、処理対象とされる割当チャンネル（実施例では処理対象のＤＣＡチャンネルに割り当てられている全ての割当チャンネル）の通常チャンネル用フェーダの位置を、ＤＣＡレベルを反映させた位置（通常チャンネルレベルにＤＣＡレベルを加算して求めた設定レベルを表す位置）に移動させる。これは、ＲＡＭ１１に保持されているＤＣＡ用フェーダの調整量を、ＲＡＭ１１に保持されている処理対象とされる割当チャンネルにおける通常チャンネル用フェーダの調整量に加算することにより行う。次いで、ステップＳ３２にて処理対象とされる割当チャンネルの通常チャンネル用フェーダと、処理対象とされるＤＣＡチャンネルのＤＣＡ用フェーダを操作できないように固定する。ステップＳ３２の処理が終了した場合、および、ステップＳ３０にて表示スイッチ７１がオンされたことが検出されなかった場合は、ステップＳ３３に進む。
【００２３】
ステップＳ３３では、表示スイッチ７１がオフされるよう操作されたか否かがが検出される。ここで、表示スイッチ７１がオフされたことが検出回路１４において検出されると、ステップＳ３４に進み処理対象とされる割当チャンネル（実施例では処理対象のＤＣＡチャンネルに割り当てられている全ての割当チャンネル）の通常チャンネル用フェーダと、処理対象とされるＤＣＡチャンネルのＤＣＡ用フェーダを操作できるように固定を解除する。次いで、ステップＳ３５にて処理対象とされる割当チャンネルであるそれぞれの通常チャンネルレベルがメモリ（ＲＡＭ１１）から読み出されて、それぞれの通常チャンネル用フェーダの位置を通常チャンネルレベルの位置に移動させる。ステップＳ３５の処理が終了した場合、および、ステップＳ３３にて表示スイッチ７１がオフされたことが検出されなかった場合は、ステップＳ３６に進む。ステップＳ３６では、各種の操作子１５の指示に応答してその他の処理を実行する。次いで、ステップＳ３７にてメイン処理の停止が指示されたか否かが検出される。ここで、メイン処理の停止が指示されたと検出された場合はメイン処理は終了し、メイン処理の停止が指示されたと検出されない場合はステップＳ３０に戻り、メイン処理が再度実行される。
【００２４】
以上説明した本発明にかかるパラメータ表示装置において、全ての割当チャンネルについて設定レベルを提示するかわりに、ユーザに割当チャンネルのうちの一部のチャンネルを選択する選択手段を設け、その選択手段により選択された割当チャンネルについてのみ設定レベルを提示させるようにしてもよい。また、通常チャンネルのそれぞれに設定レベルを提示するためのスイッチを設け、そのスイッチがオンされたことを検出して、その通常チャンネルについてのみ設定レベルを提示させるようにしてもよい。さらにまた、表示スイッチ７１がオンされて設定レベルの提示が指示されているときには、通常チャンネル用フェーダを動かないように固定することに代えて、動かされた量を通常チャンネルレベルとして記録し、表示スイッチ７１がオフされた後に反映させるようにしてもよい。
【００２５】
さらにまた、設定レベルに一致するように通常チャンネル用フェーダを移動させるとともに、設定レベルの値を通常チャンネル用フェーダの近傍にある表示部に表示させることにより、理解しやすいように表示するようにしてもよい。この表示部は、図２に示すパネル２の構成においてチャンネル番号が表示されている表示器２１ａ，２２ａ，２３ａ，２４ａ，３１ａ，３２ａ，３３ａ，３４ａ，５１ａ，５２ａ，５３ａ，５４ａである。さらにまた、ＲＯＭ１２に制御プログラムが記憶されていない場合、ハードディスクやＣＤ−ＲＯＭに制御プログラムを記憶させておいてそれをＲＡＭ１１に読み込むことで、ＲＯＭ１２に制御プログラムを記憶している場合と同様の動作をＣＰＵ１０に実行させるようにしてもよい。このようにすると、制御プログラムの追加やバージョンアップ等を容易に行えるようになる。さらにまた、通信Ｉ／Ｆ１３はＬＡＮやインターネットや電話回線などの通信ネットワークに接続されており、通信Ｉ／Ｆ１３を介してサーバコンピュータに接続するようにしてもよい。この場合、ＲＯＭ１２に制御プログラムや各種データが記憶されていない場合、サーバコンピュータからプログラムやデータをダウンロードしてＲＡＭ１１に読み込むようにしてもよい。
【００２６】
さらにまた、設定レベルの表示について、設定レベルをわかりやすく提示するために、通常チャンネル用フェーダの上部にある図２に示すようにチャンネル番号が表示されている表示部に設定レベル（ＤＣＡレベル＋通常チャンネルレベル）と通常チャンネル用フェーダのみで調整されている通常チャンネルレベルとを同時に表示する機能を設けるようにしてもよい。このとき、表示する設定レベルと通常チャンネルレベルの文字（値）の色や濃さを異なるようにするのが好適である。設定レベルの表示は、常時表示したり、表示スイッチが押されている間だけ一時的に表示しておくことのいずれにしてもよく、設定レベルを確認するための補助情報となればよい。
【００２７】
以上の説明では、本発明にかかるパラメータ表示装置を適用したディジタルミキシング装置について説明したが、本発明にかかるパラメータ表示装置はアナログミキシング装置にも適用することができる。本発明にかかるパラメータ表示装置をアナログミキシング装置に適用した場合には、ＤＣＡレベルを記憶するメモリを用いず、表示スイッチ７１がオンされた際にＤＣＡ用フェーダの基準位置から移動した距離を検出して、その移動距離に応じた検出量をＤＣＡレベルとして扱うようにする。
また、以上の説明ではパラメータをレベルとしたがレベルに限るものではなく、他のミキンシングに関連するパラメータとすることができ、本発明はミキシング装置に限らずチャンネル毎にパラメータを調整可能な調整手段と、複数チャンネルのパラメータをまとめて調整可能な調整手段とを有する装置に適用することができる。
【００２８】
【発明の効果】
本発明は以上のように、第１のパラメータ調整手段および第２のパラメータ調整手段により設定される割当チャンネルの設定パラメータを、当該割当チャンネルにかかる第１のパラメータ調整手段において提示する指示手段を設けるようにしたので、指示手段を操作することにより実際に設定されている設定パラメータを簡単に確認することができるようになる。この場合、指示手段を操作しない限り第２のパラメータ設定手段の設定状態が反映されて提示されないので、第１のパラメータ設定手段においてはパラメータを細かく設定することができるようになる。
また、割当チャンネルの内の選択された割当チャンネルについてだけ第２のパラメータ設定手段の設定状態を反映させて提示するようにしてもよく、指示手段を操作した際に第１のパラメータ調整手段および第２のパラメータ調整手段の動きを固定してパラメータを調整できないようにしてもよい。さらに、指示手段を操作した際に第１パラメータ調整手段の近傍に設けられているチャンネル毎の表示手段に設定パラメータを表示するようにしてもよく、各チャンネルに第２のパラメータ設定手段の設定状態を反映した設定パラメータを提示するためのスイッチ手段を設けるようにしてもよい。
【図面の簡単な説明】
【図１】本発明の実施の形態にかかるパラメータ表示装置を備えるミキシング装置の構成を示すブロック図である。
【図２】本発明の実施の形態にかかるミキシング装置におけるパネルの詳細構成を示す図である。
【図３】本発明にかかるパラメータ表示装置におけるＤＣＡ用フェーダの操作処理を示すフローチャートである。
【図４】本発明にかかるパラメータ表示装置における通常チャンネル用フェーダの操作処理を示すフローチャートである。
【図５】本発明にかかるパラメータ表示装置におけるメイン処理を示すフローチャートである。
【符号の説明】
１  ミキシング装置、２  パネル、１０  ＣＰＵ、１０ａ  通信バス、１１  ＲＡＭ、１２  ＲＯＭ、１３  通信Ｉ／Ｆ、１４  検出回路、１５  操作子、１６表示回路、１７  表示部、１８  信号処理回路、１９  入出力Ｉ／Ｆ、２０  第１入力チャンネル部、２１ｃ  ＤＣＡスイッチ、２１ａ，２２ａ，２３ａ，２４ａ，３１ａ，３２ａ，３３ａ，３４ａ，５１ａ，５２ａ，５３ａ，５４ａ  表示器、２１ｂ，２２ｂ，２３ｂ，２４ｂ，３１ｂ，３２ｂ，３３ｂ，３４ｂ，５１ｂ，５２ｂ，５３ｂ，５４ｂ  通常チャンネル用フェーダ、２１ｃ，２２ｃ，２３ｃ，２４ｃ，３１ｃ，３２ｃ，３３ｃ，３４ｃ，５１ｃ，５２ｃ，５３ｃ，５４ｃ  ＤＣＡスイッチ、３０  入力チャンネル部、４０  表示部、５０  出力チャンネル部、６０  チャンネル部、６１ａ，６２ａ  選択スイッチ、６１ｂ，６２ｂ  ＤＣＡ用フェーダ、７０  表示制御部、７１  表示スイッチ、７２  選択スイッチ、７３  選択スイッチ、１００  外部入出力機器、２００  外部制御機器
【図１】
2004253876.tif 000003
【図２】
2004253876.tif 000004
【図３】
2004253876.tif 000005
【図４】
2004253876.tif 000006
【図５】
2004253876.tif 000007